(57)【要約】【課題】従来のスタンプ式のシャチハタ（登録商標）浸透印は本体が軽く重量感がなかったのではんこを少し重くすることにより持ちやすく、捺印しやすくした浸透印はんこ。また、スタンプ式の浸透印型はんこが紛失し易いのでなくならないようにする。【解決手段】スタンプ式の浸透印型はんこのホルダー内部に空いたスペースがあるのでそこへ、磁石を入れることをすると重さが出て持ちやすく捺印し易くまた、外側や内側に磁石を用いて鉄やニッケルなど磁石を吸着する性質の物とを吸着させることにより、所定の場所に留まらせることができて不意にはんこがなくなることを防ぎ、使用後の保管場所にもなる。【選択図】図１
0003136042.tif 000002
【実用新案登録請求の範囲】
【請求項１】
従来のスタンプ式のシャチハタ（登録商標）浸透印、自体が軽く重量感がなかったので少し重くすることにより捺印しやすくした浸透印はんこ。
【請求項２】
スタンプ式のシャチハタ（登録商標）浸透印にはホルダー部に空いたスペースがある
この部分に磁石を入れることにより重量を増やし重量感を増す効果を発揮することそれに加え、磁石に物を吸着させる働きを得ることができる。
【請求項３】
スタンプ式のシャチハタ（登録商標）浸透印に磁石を取り付け、磁石の磁力で外部の金属に吸着させることを特徴とする浸透印型はんこ。
【考案の詳細な説明】
【技術分野】
【０００１】
この考案は、はんこ、スタンプに関するものである。
【背景技術】
【０００２】
従来のスタンプ式シャチハタ（登録商標）浸透印は捺印のし易さが知られ古くから生産・使用されている。しかしながら、形状的に凝ったものがない。
【０００３】
スタンプ式のシャチハタ（登録商標）浸透印の機能はインキがはんこ内部の含浸体に染み込んでいて、繰り返し捺印することが出来るのが特長である。
【０００４】
従来のスタンプ式のシャチハタ（登録商標）浸透印は重さが軽く重量感がないので持ち運びには適しているが捺印をする際は鮮明に捺印できないことがある。
【０００５】
スタンプ式のシャチハタ（登録商標）浸透印はその形状から捺印には有効に働くが
保管をする方法や使用前、後に固定をするための機能を有する訳ではない。
【０００６】
なお、本考案に関連する公的技術として次の文献を挙げることができる
【特許文献１】特開2005-41157
【考案の開示】
【考案が解決しようとする課題】
【０００７】
この考案はスタンプ式のシャチハタ（登録商標）浸透印に重量感を持たせることにより捺印時に本体が軽くて印面が傾き鮮明に捺印ができないことがあるのを防ぐ効果が
得られる。
【０００８】
また、この考案はスタンプ式のシャチハタ（登録商標）浸透印に重量感を持たせるための磁石を取り付けることにより特定の場所に固定させることも可能であり、使用していないときの保管の方法を幅広くアレンジすることができる。
【課題を解決するための手段】
【０００９】
重さが軽いスタンプ式のシャチハタ（登録商標）浸透印に磁力を発生させる磁石を取り付け、鉄及びニッケルなど、磁石と吸着する性質の物に固定させる。
【００１０】
スタンプ式のシャチハタ（登録商標）浸透印本体を固定させておく場所は磁石を吸着させることの出来る場所であり、スタンプ式のシャチハタ（登録商標）浸透印を使用する場所では比較的豊富にあると推測される。
【００１１】
スタンプ式のシャチハタ（登録商標）浸透印本体を固定させる場所は、縫ぐるみやホルダーを支えることの出来る金属をもったものであれば固定することが出来る。
【００１２】
スタンプ式のシャチハタ（登録商標）浸透印の持ち手（ホルダー）部分に磁力を発生させる磁石を取り付け、鉄及びニッケルなど、磁石と吸着する性質の物に固定し、捺印をする時にはホルダーが容易に取り外しできる様にする。
【考案の効果】
【００１３】
以上説明したように、従来品にはなかった磁力を使うことにより重量感が増し、更に磁石として吸着する場所であれば幅広くスタンプ式のシャチハタ（登録商標）浸透印は、取り付けや固定をすることが可能。また、フェライト磁石を使用した場合にはフェライト磁石の性質上取り外しは容易にできてまた、はんことしての捺印時にはそれに応じることが容易である。
【考案を実施するための最良の形態】
【００１４】
スタンプ式のシャチハタ（登録商標）の持ち手部分（ホルダー）にマット状、丸形、四角と多種類の磁石を取り付け磁石の実験をした結果フェライト磁石（若しくはネオジム磁石を使用）を取り付け適度な重量を出し、更に磁石からは磁力が発生しているので外部の磁性体に吸着させることを実現した。
【実施例１】
【００１５】
以下、本考案に係るスタンプ式のシャチハタ（登録商標）浸透印の実施例を図面を参照して説明する。図１の矢印１部分に磁力を発生させる磁石を設置する。
【実施例２】
【００１６】
矢印1の部分に磁性体を設置することによりスタンプ式のシャチハタ（登録商標）浸透印の上方向に磁力が有効であり、吊り下げ式の保管をする事が出来る。
【実施例３】
【００１７】
矢印3のはんこ底の部分に磁石を設置することによりスタンプ式のシャチハタ（登録商標）浸透印の下方向に磁力が有効であり、テーブルなどに固定させる事が出来る。
【実施例４】
【００１８】
矢印1の部分に磁石を設置することによりスタンプ式のシャチハタ（登録商標）浸透印に重みを出すことが出来て、更に横方向に磁力が有効であり、側面との固定をすることが出来る。
【実施例５】
【００１９】
矢印1の部分に磁石を設置することによりスタンプ式のシャチハタ（登録商標）浸透印の斜め方向に磁力が有効であり、斜めに固定させることが出来る。
【実施例６】
【００２０】
矢印2の部分に磁石を設置することによりスタンプ式のシャチハタ（登録商標）浸透印同士を吸着させることが出来る。
【実施例７】
【００２１】
矢印2の部分に磁石を設置することによりスタンプ式のシャチハタ（登録商標）浸透印の側面を両端及び片方向から支え固定することが出来る。
【実施例８】
【００２２】
スタンプ式のシャチハタ（登録商標）浸透印の矢印2のホルダー部分にマット状の磁石を取り付けることによりホルダー全体に磁性体としての効果を発揮することも出来る。
【実施例９】
【００２３】
縫ぐるみに磁石を取り付け、本考案のスタンプ式のシャチハタ（登録商標）浸透印とを吸着させることも出来る。
【実施例１０】
【００２４】
卓上型のはんこ入れに磁石を取り付け、矢印4部分などにも磁石を取り付けることにより本考案のスタンプ式のシャチハタ（登録商標）浸透印とを吸着させることも出来る。
【実施例１１】
【００２５】
スタンプ式の浸透印ホルダーの形状を従来の筒型ではなく人形形状にし、人形の一部
及び全体が磁性体をもった形にし別の器具に吸着させることも出来る。
【産業上の利用可能性】
【００２６】
スタンプ式のシャチハタ（登録商標）浸透印の持ち手（ホルダー）部分に磁石を
取り付けることにより鉄に吸着するため工場などの検査、捺印をする用途に
適用できる。
【図面の簡単な説明】
【００２７】
【図１】スタンプ式のシャチハタ（登録商標）浸透印の実施方法を示した説明図である  （実施例1）
【図１】
0003136042.tif 000003
【手続補正書】
【提出日】平成19年7月26日(2007.7.26)
【手続補正１】
【補正対象書類名】実用新案登録請求の範囲
【補正対象項目名】全文
【補正方法】変更
【補正の内容】
【実用新案登録請求の範囲】
【請求項１】
スタンプ式のシャチハタ（登録商標）浸透印、自体が軽く重量感がなかったので少し重くすることにより捺印しやすくした浸透印はんこ。
【請求項２】
スタンプ式のシャチハタ（登録商標）浸透印にはホルダー部に空いたスペースがあるこの部分に磁石を入れることにより重量を増やし重量感を増す効果を発揮すること
それに加え、磁石に物を吸着させる働きを得ることができるはんこ。